(57)【要約】【課題】引出しに収納するカゴの着脱操作が楽にできるようにすること。【解決手段】キャビネット本体１２と、キャビネット本体１２に設けた引出し１３と、引出し１３に収納するカゴ１４とを備え、引出し１３を手前へ引き出した状態でカゴ１４が着脱自在となり、引出し１３の前板１６は、その下端側を中心にして、起立位置Ｇから手前側へ傾く傾斜位置Ｈの間で傾動自在になっている。また、カゴ１４の大きさが、引出し１３を手前停止位置Ａまで引き出したときに、キャビネット本体１２の内側にはみ出すものであって、前板１６を傾斜状態にしたときに、着脱できるものである。【選択図】  図１
2004180885.tif 000002
【特許請求の範囲】
【請求項１】
キャビネット本体と、キャビネット本体に設けた引出しと、引出しに収納するカゴとを備え、引出しを手前へ引き出した状態でカゴが着脱自在となる収納キャビネットにおいて、引出しの前板は、その下端側を中心にして、起立位置から手前側へ傾く傾斜位置の間で傾動自在になっていることを特徴とする収納キャビネット。
【請求項２】
前記カゴは、前記引出しを手前停止位置まで引き出したときに、その後側が前記キャビネット本体の内側へはみ出すものであって、前記前板を傾斜状態にしたときに、傾斜させた状態で着脱ができるものである請求項１記載の収納キャビネット。
【請求項３】
前記引出しは、前記引出しを引き出すために前記前板を起立状態のまま手前側に引っ張る力よりも更に大きな力で前板を引っ張るときに、起立状態から傾斜状態へ移行させる請求項１又は２記載の収納キャビネット。
【発明の詳細な説明】
【０００１】
【発明の属する技術分野】
本発明は、脱衣した衣服等を収納するためのカゴを着脱自在に設けた収納キャビネットの改良に関するものである。
【０００２】
【従来の技術】
従来の収納キャビネット１は、図４に示す如く、キャビネット本体２と、キャビネット本体２に設けた引出し３と、引出し３に収納するカゴ４とを備え、引出し３  を手前へ引き出した状態でカゴ４が着脱自在となっている（例えば、特許文献１参照。）。引出し３は、収納部５の手前に前板６を設け、収納部５を手前に引き出す手前停止位置Ａ（実線で示す位置）からキャビネット本体２の内側に格納する格納位置Ｂ（二点鎖線で示す位置）まで押し引き自在となっている。前板６は、キャビネット本体２に収納部５を格納したときに、キャビネット外側Ｃからカゴ４が見えないように、カゴ４を覆い隠すことができる大きさになっている。
【０００３】
収納キャビネット１は、浴室に隣接する脱衣室等に洗面化粧台や洗濯機等と共に設置され、脱衣時や着替え時等にカゴ４の中に投げ入れた衣類を収納したり、または、洗濯機から取り出した洗濯物をカゴに入れて乾燥場へ運ぶときに用いられる。
【０００４】
【特許文献１】
特開平１１−７５９６６号公報
【０００５】
【発明が解決しようとする課題】
従来の収納キャビネット１は、カゴ４を着脱するときに、手前へ引き出した引出し３の上方に開口部Ｄを形成し、開口部Ｄを介してカゴ４を垂直に移動させる必要がある。そのため、従来の収納キャビネット１は、カゴ４の着脱操作が楽にできない。更に、カゴ４は、開口部Ｄを通過できる大きさに制限されるため、引出しを引き出したときにキャビネット本体の内側まではみ出す大きな寸法とすることが不可能であり、収納容量を大きくできなかった。
【０００６】
そこで、本発明は、上記問題を解決するために、カゴの着脱操作が楽にできようにし、また、カゴの収納容量を従来よりも大きくできる収納キャビネットを提供せんとするものである。
【０００７】
【課題を解決するための手段】
カゴの着脱操作が楽にできるようにするために請求項１記載の本発明が採用した手段は、キャビネット本体と、キャビネット本体に設けた引出しと、引出しに収納するカゴとを備え、引出しを手前へ引き出した状態でカゴが着脱自在となる収納キャビネットにおいて、引出しの前板は、その下端側を中心にして、起立位置から手前側へ傾く傾斜位置の間で傾動自在になっていることを特徴とする収納キャビネットである。
本発明にあっては、引出しを手前へ引き出した状態で前板を手前側へ傾斜させることにより、引出しの上方に形成する開口部が従来より大きくなり、引出しに対するカゴの着脱が大きな開口部を介してできる。
【０００８】
カゴの収納能力の向上を図るために請求項２記載の本発明が採用した手段は、前記カゴは、前記引出しを手前停止位置まで引き出したときに、その後側が前記キャビネット本体の内側へはみ出すものであって、前記前板を傾斜状態にしたときに、傾斜させた状態で着脱ができるものである請求項１記載の収納キャビネットである。
カゴの大きさに関して、引出しを手前停止位置まで引き出したときに、従来はキャビネット本体の内側まではみ出す大きさにできないのに対して、本発明にあっては、キャビネット本体の内側まではみ出す大きさとなっているので、カゴの奥行き寸法を従来より大きくできる。
【０００９】
引出しの押引操作及びカゴの着脱操作が円滑にできるようにするために請求項３記載の本発明が採用した手段は、前記引出しは、前記引出しを引き出すために前記前板を起立状態のまま手前側に引っ張る力よりも更に大きな力で前板を引っ張るときに、起立状態から傾斜状態へ移行させる請求項１又は２記載の収納キャビネットである。
本発明にあっては、起立状態を維持している前板を引っ張って引出しを手前停止位置まで引き出し、その後に、更に強い力で前板を引っ張ることで前板を傾斜状態にし、この傾斜状態を維持できる。
【００１０】
なお、請求項１又は２記載の収納キャビネットにおいて、前記引出しは、前記前板の起立状態及び傾斜状態をバネ力又は磁力等で維持させる保持具が設けられ、該保持具は、前記引出しを引き出すために前記前板を起立状態のまま手前側に引っ張る力よりも更に大きな力で前板を引っ張るときに、バネ力又は磁力等に抗して起立状態から傾斜状態へ移行させるようにすることも可能である。
【００１１】
【発明の実施の形態】
以下、本発明に係る収納キャビネット（以下、「本発明収納キャビネット」という。）を図１乃至図３の図面に示す実施の形態に基づいて説明する。図１は本発明収納キャビネットの全体を示すものであって、同図の（Ａ）は引出し１３を手前停止位置Ａまで引き出した状態の平面図、同図の（Ｂ）は引出し１３を手前停止位置Ａまで引き出した状態を示すものであってキャビネット本体１２を断面した右側面図、同図の（Ｃ）は引出し１３を格納した状態を示すものであってキャビネット本体１２を断面した右側面図、図２は手前停止位置Ａまで引き出した引出し１３の前板１６を傾斜状態Ｈにしてカゴ１４を着脱する途中を示す断面した右側面図、図３は保持具１８の近辺を拡大して示す断面した右側面図であり、同図の（Ａ）は前板１６の起立状態Ｇを示し、同図の（Ｂ）は前板１６の傾斜状態Ｈを示すものである。
【００１２】
本発明収納キャビネット１１は、図１及び図２に示す如く、従来と同様に、キャビネット本体１２と、キャビネット本体１２に設けた引出し１３と、引出し１３に収納するカゴ１４とを備え、引出し１３を手前へ引き出した状態でカゴ１４が着脱自在となるものである。引出し１３は、収納したカゴ１４を支持する収納部１５の手前に、カゴ１４の正面を隠す前板１６を設けたものであって、収納部１５を手前に引き出した手前停止位置Ａ（図１の（Ａ）及び（Ｂ）参照）からキャビネット本体１２の内側に格納した格納位置Ｂ（図１の（Ｃ）参照）まで押し引きできるようになっている。
【００１３】
該引出し１３は、収納部１５の左右両側の各々に２段階又は３段階に伸縮自在となった適宜ガイド部材１７を設け、このガイド部材１７を介してキャビネット本体１２の側板１２ａ，１２ｂに取り付けられる。前板１６は、図１の（Ｃ）に示す如く、キャビネット本体１２に収納部１５を格納したときに、キャビネット外側Ｃからカゴ１４が見えないように、カゴ１４を覆い隠すことができる大きさになっている。引出し１３は、前板１６の表面１６ａの上方に把手２２が取付けられている。
【００１４】
前記カゴ１４は、耐蝕性金属製の線材又は樹脂等で被覆した格子材等を素材として、枡目構造又は網目構造を有して箱型に形成されたものや、多孔板等を折り曲げて箱型に形成されたもの、或いはプラスチックによる一体物として各種通気性構造を有して箱型に形成されたものである。
【００１５】
本発明収納キャビネット１１の改良は、次ぎの三点である。第１の改良点は、引出し１３の前板１６が、その下端側を中心にして、起立位置Ｇ（図１の（Ｂ）参照）から手前側へ傾く傾斜位置Ｈ（図２参照）の間で傾動自在になっていることである。引出し１３は、収納部１５と前板１６との間に蝶番２１を設け、収納部１５に前板１６を傾動自在に支持させてある。本発明収納キャビネット１１は、図２に示す如く、引出し１３を手前へ引き出した状態で前板１６を手前側へ傾斜させることにより、引出し１３の上方に形成する開口部Ｄが従来より大きくなり、引出し１３に対するカゴ１４の着脱が大きな開口部Ｄを介して容易にできる。カゴ１４を着脱するときには、前板１６の裏面１６ｂに沿わせるようにカゴ１４を傾斜させた状態で移動させ、ギャビネット本体１２に衝突させないようにするのが好ましい。
【００１６】
第２の改良点は、図１の（Ｂ）及び図２に示す如く、カゴ１４に関して、引出し１３を手前停止位置Ａまで引き出したときに、その後側がキャビネット本体１１の内側へ寸法Ｅはみ出すものであって、前板１６を傾斜状態Ｈにしたときに、傾斜させた状態で着脱ができるものとしたことである。カゴ１４の大きさに関して、従来の収納キャビネット１では、図４に示す如く、引出し３を手前停止位置Ａまで引き出したときに、キャビネット本体２の内側まではみ出す大きさにできないのに対して、本発明収納キャビネット１１では、引出し１３を手前停止位置Ａまで引き出したときに、キャビネット本体１２の内側まではみ出す大きさ（はみ出し寸法Ｅ）となっている。すなわち、本発明収納キャビネット１１は、カゴ１４の奥行き寸法を従来より大きくでき、収納量の増大を図ることができる。
【００１７】
第３の改良点は、引出し１３は、前板１６の起立状態及び傾斜状態の各々の状態をバネ力で維持させる保持具１８が設けられ、保持具１８は、引出し１３を引き出すために前板１６を起立状態Ｇのまま手前側に引っ張る力Ｆ１（図１の（Ｂ）参照）よりも更に大きな力Ｆ２（図２参照）で前板１６を引っ張ることで、バネ力に抗して起立状態Ｇから傾斜状態Ｈへ移行させるようにしたことである。引出し１３を引き出すときには、保持具１８で起立状態Ｇを維持する前板１６を引っ張って引出し１３を手前停止位置Ａまで引き出し、その後に、更に強い力Ｆ２で前板１６を引っ張ることで前板１６を傾斜状態Ｈにし、この傾斜状態Ｈを保持具１８で維持できる。逆に、引出し１３を格納するときには、手前停止位置Ａの引出し１３の前板１６を力Ｆ１で押し、収納部１５をキャビネット本体１２の内側に格納し、その後に、更に強い力Ｆ２で前板１６を押圧することで、保持具１８のバネ力に抗して傾斜状態から起立状態からへ移行させることができる。このように本発明収納キャビネット１１は、引出し１３の押引操作が円滑にでき、また、手前停止位置Ａで前板１６を傾斜状態Ｈにしたとき、引出し１３の上方に大きな開口部Ｄを形成する状態を維持するので、カゴ１４の着脱操作が円滑にできる。
【００１８】
前記保持具１８は、図３に示す如く、保持部１９と被保持部２０とからなり、引出し１３の収納部１５と前板１６の間に設けられ、収納部１５及び前板１６のいずれか一方に保持部１９を取着すると共に他方に被保持部２０を取着する。保持具１８は、人目に触れないように、前板１６の下端側に設けるのが好ましい。実施例の保持部１９は、バネ板材から成形して係合谷部１９ａ，１９ｂの間に山部１９ｃを形成したものであり、係合谷部１９ａ，１９ｂの一方に突片状の被保持部２０の先端を係合させることで、前板１６の起立状態又は傾斜状態を維持させるようにしてある。前板１６が起立状態Ｇから傾斜状態Ｈに傾動するときには、保持部１９のバネ力に抗して、被保持部２０の先端が保持部１９の山部１９ｃを跨ぐことになる。
【００１９】
前記引出し１３は、前記保持具１８の代わりに、図示は省略したが、収納部１５と前板１６との間に設けられるステー及び留め具の組み合わせを採用し、引出し１３を引き出すために前板１６を起立状態のまま手前側に引っ張る力よりも更に大きな力で前板を引っ張るときに、留め具の留め付け力に抗して起立状態から傾斜状態へ移行させるようにすることも可能である。ステーは前板１６の傾斜状態Ｈを維持させる伸縮自在なものであり、留め具は前板１６の起立状態Ｇを維持させる磁石及び吸着板等の組合わせがある。
【００２０】
本実施例おいて、本発明収納キャビネット１１は、キャビネット本体１２の上方に引出し２３を設けている。本発明収納キャビネット１１は、収納専用のキャビネットに限定するものではなく、洗面台のキャビネット等の如く、別の用途を併せもつものであってもよい。
【００２１】
【発明の効果】
請求項１記載の本発明収納キャビネットは、引出しに対するカゴの着脱が大きな開口部を介して楽にできる。
【００２２】
請求項２記載の本発明収納キャビネットは、カゴの奥行き寸法を従来より大きくして、カゴの収納能力を向上させることができる。
【００２３】
請求項３記載の本発明収納キャビネットは、カゴを装着した引出しを押引操作するとき、前板を起立させた状態のままできるので、この押引操作が円滑にでき、また、前板を傾斜状態にしたとき、この傾斜状態を維持するので、カゴの着脱操作が円滑にできる。
【図面の簡単な説明】
【図１】本発明収納キャビネットの実施の形態の全体を示すものであり、同図の（Ａ）は引出しを手前停止位置まで引き出した状態の平面図、同図の（Ｂ）は引出しを手前停止位置まで引き出した状態の断面した右側面図、同図の（Ｃ）は引出しを格納した状態の断面した右側面図である。
【図２】同実施の形態において、手前停止位置まで引き出した引出しの前板を傾斜状態にしてカゴを着脱する途中を示す断面した右側面図である。
【図３】同実施の形態において、保持具の近辺を拡大して示す断面した右側面図であり、同図の（Ａ）は前板の起立状態を示し、同図の（Ｂ）は前板の傾斜状態を示すものである。
【図４】従来の収納キャビネットの全体を示すものであり、引出しを手前停止位置引き出した状態の断面した右側面図である。
【符号の説明】
Ｇ…起立位置、Ｈ…傾斜位置、１２…キャビネット本体、１３…引出し、１４…カゴ、１５…収納部、１６…前板、１８…保持具
【図１】
2004180885.tif 000003
【図２】
2004180885.tif 000004
【図３】
2004180885.tif 000005
【図４】
2004180885.tif 000006